(57)【特許請求の範囲】
【請求項１】
縦向きのリンクと横向きのリンクを交互に連結した無端チェーンに連結されると共に、外周が略円形に形成された分割型ブレードを備えてパイプコンベヤ内を循環動する搬送チェーンであって、
ブレードの底部側の摺動縁部が該摺動縁部の接するパイプコンベヤの管路の内周面と略同一の径からなる円弧形状に形成されており、前記リンクチェーンの連結位置を、縦向きのリンクがブレードの前記摺動縁部よりも下側へ突出しない位置に設定してなり、ブレードの重心位置が、前記摺動縁部を管路の内壁の下方に復帰させる位置に設定されており、該ブレードが、着脱自在に連結される複数の分割構成部からなっており、
前記ブレードが、少なくとも摺動縁部に銅または銅合金からなるプレートを重ねて連結してなり、管路の内壁面との摺動で磨り減った微量の銅粉が他の摺動縁部を構成する部材の摺動面に付着して前記内壁面を滑動させうることを特徴とする分割型ブレードを用いた搬送チェーン。
【請求項２】
縦向きのリンクと横向きのリンクを交互に連結した無端チェーンに連結されると共に、外周が略円形に形成された分割型ブレードを備えてパイプコンベヤ内を循環動する搬送チェーンであって、
ブレードの底部側の摺動縁部が該摺動縁部の接するパイプコンベヤの管路の内周面と略同一の径からなる円弧形状に形成されており、
前記リンクチェーンの連結位置を、縦向きのリンクがブレードの前記摺動縁部よりも下側へ突出しない位置に設定してなり、
ブレードの重心位置が、前記摺動縁部を管路の内壁の下方に復帰させる位置に設定されており、
該ブレードが、摺動縁部を有し横向きのリンクを固着した一方の分割構成部と、該分割構成部に着脱自在に取り付けられて他方の縁部を形成する他方の分割構成部とからなっており、
前記ブレードが、少なくとも摺動縁部に銅または銅合金からなるプレートを重ねて連結してなり、管路の内壁面との摺動で磨り減った微量の銅粉が他の摺動縁部を構成する部材の摺動面に付着して前記内壁面を滑動させうることを特徴とする分割型ブレードを用いた搬送チェーン。
【請求項３】
縦向きのリンクと横向きのリンクを交互に連結した無端チェーンに連結されると共に、外周が略円形に形成されたブレードを備えた無端の搬送チェーンを循環駆動させるパイプコンベヤであって、
ブレードの底部側の摺動縁部が該摺動縁部の接するパイプコンベヤの管路の内周面と略同一の径からなる円弧形状に形成されており、
他の縁部は、パイプコンベヤの管路の中空部内でブレードの回転自由度を阻害しない程度の空間を保てる径に設定された円弧形状に形成されており、
前記リンクチェーンの連結位置を、縦向きのリンクがブレードの摺動縁部よりも下側へ突出しない位置に設定してなり、
ブレードの重心位置が、前記摺動縁部を管路の内壁の下方に復帰させる位置に設定されており、
上記ブレードが、着脱自在に連結される複数の分割構成部からなっており、
前記ブレードが、少なくとも摺動縁部に銅または銅合金からなるプレートを重ねて連結してなり、管路の内壁面との摺動で磨り減った微量の銅粉が他の摺動縁部を構成する部材の摺動面に付着して前記内壁面を滑動させうることを特徴とするパイプコンベヤ。
【発明の詳細な説明】
【０００１】
【産業上の利用分野】
この発明は、パイプコンベヤに用いられる分割型ブレードを用いた搬送チェーンおよびそれを用いたパイプコンベヤの構造に関する。
【０００２】
【従来の技術】
従来、蛇行するパイプコンベヤに、無端の搬送チェーンをコンベヤ内を最短距離で通るように緊張して通し、搬送チェーンを循環動させる構成が知られている。
ここで搬送チェーンは、図７および図８に示すように、縦横に交互に交差する卵型のリンク６ａ、６ｂを連結したリンクチェーンに外周が円形状のブレード７’の端部を連結した構成が知られている。
この搬送チェーンでは、蛇行管路内においてリンクチェーンを軸としてブレード７’を旋回させながら進むことができ、補助ローラによるガイドを必要としない。
しかし、従来の搬送チェーンは、直線コースでは縦向きのリンク６ｂがブレード７’より外方に突出しているので、搬送チェーンが管路１０内を摺動する際には、常に縦向きのリンク６ｂの下辺が擦れるので、管路１０の摩耗が早く管路１０に穴があくなど損傷しやすい欠点があった。
また、蛇行個所では、縦向きのリンク６ｂを支点とし、ブレード７’は左右のいずれか一方へ傾いて管路１０の内壁と衝合しながら進むので、前記縦向きリンク６ｂの下辺とブレード７’の前記衝合点の二個所で支持されながら管路内を進むことになる。
そして、管路１０内に被搬送物が強く付着していると、ブレードはこれを乗り越えて浮き上がってしまい、十分に掻き取りを行うことができない欠点がある。
また、被搬送物の種類や用途によって、ブレードの素材を変更したい場合には、搬送チェーン全体を交換する必要があるので汎用性に乏しい欠点もあった。
【０００３】
【発明が解決しようとする問題点】
この発明は上記事情に鑑みて創案されたものであって、その主たる課題は、ブレードの底部側の縁部を管路の内壁の径に近似する円弧形状とすることにより、蛇行個所においてもブレードの浮き上がりが生ぜずに掻き取り効率を向上させて残留物をなくすることができるようにし、またブレードの底部側の端縁部を常にパイプの下面に戻すようにした搬送チェーンおよびこれを用いたパイプコンベヤを提供することにある。
この発明の別の課題は、ブレードを分割構成として、分割構成片を適宜に交換することができるようにした搬送チェーンおよびこれを用いたパイプコンベヤを提供することにある。
【０００４】
【課題を解決するための手段】
この発明は前記課題を解決するために、請求項１の発明では、
縦向きのリンクと横向きのリンクを交互に連結した無端チェーンに連結されると共に、外周が略円形に形成された分割型ブレードを備えてパイプコンベヤ内を循環動する搬送チェーンであって、ブレードの底部側の摺動縁部が該摺動縁部の接するパイプコンベヤの管路の内周面と略同一の径からなる円弧形状に形成されており、前記リンクチェーンの連結位置を、縦向きのリンクがブレードの前記摺動縁部よりも下側へ突出しない位置に設定してなり、ブレードの重心位置が、前記摺動縁部を管路の内壁の下方に復帰させる位置に設定されており、該ブレードが、着脱自在に連結される複数の分割構成部からなっており、
前記ブレードが、少なくとも摺動縁部に銅または銅合金からなるプレートを重ねて連結してなり、管路の内壁面との摺動で磨り減った微量の銅粉が他の摺動縁部を構成する部材の摺動面に付着して前記内壁面を滑動させうる、という技術的手段を講じている。
【０００６】
更に、請求項２の発明では、縦向きのリンクと横向きのリンクを交互に連結した無端チェーンに連結されると共に、外周が略円形に形成された分割型ブレードを備えてパイプコンベヤ内を循環動する搬送チェーンであって、ブレードの底部側の摺動縁部が該摺動縁部の接するパイプコンベヤの管路の内周面と略同一の径からなる円弧形状に形成されており、前記リンクチェーンの連結位置を、縦向きのリンクがブレードの前記摺動縁部よりも下側へ突出しない位置に設定してなり、ブレードの重心位置が、前記摺動縁部を管路の内壁の下方に復帰させる位置に設定されており、該ブレードが、摺動縁部を有し横向きのリンクを固着した一方の分割構成部と、該分割構成部に着脱自在に取り付けられて他方の縁部を形成する他方の分割構成部とからなっており、
前記ブレードが、少なくとも摺動縁部に銅または銅合金からなるプレートを重ねて連結してなり、管路の内壁面との摺動で磨り減った微量の銅粉が他の摺動縁部を構成する部材の摺動面に付着して前記内壁面を滑動させうる、という技術的手段を講じている。
【０００７】
また、請求項３の発明では、
縦向きのリンクと横向きのリンクを交互に連結した無端チェーンに連結されると共に、外周が略円形に形成されたブレードを備えた無端の搬送チェーンを循環駆動させるパイプコンベヤであって、
ブレードの底部側の摺動縁部が該摺動縁部の接するパイプコンベヤの管路の内周面と略同一の径からなる円弧形状に形成されており、
他の縁部は、パイプコンベヤの管路の中空部内でブレードの回転自由度を阻害しない程度の空間を保てる径に設定された円弧形状に形成されており、
前記リンクチェーンの連結位置を、縦向きのリンクがブレードの摺動縁部よりも下側へ突出しない位置に設定してなり、
ブレードの重心位置が、前記摺動縁部を管路の内壁の下方に復帰させる位置に設定されており、
上記ブレードが、着脱自在に連結される複数の分割構成部からなっており、
前記ブレードが、少なくとも摺動縁部に銅または銅合金からなるプレートを重ねて連結してなり、管路の内壁面との摺動で磨り減った微量の銅粉が他の摺動縁部を構成する部材の摺動面に付着して前記内壁面を滑動させうる、という技術的手段を講じている。
【０００８】
【発明の実施の形態】
以下に、この発明の分割型ブレードを用いた搬送チェーン及びパイプコンベヤの好適実施例を図面に基づいて説明する。
パイプコンベヤ１は、図１に一例を示すように、直管と、略Ｌ状やＵ状に曲成されたエルボ管との組合せにより蛇行状に形成された管路１０からなるパイプライン２が設けられている。
このパイプライン２には適宜箇所に被搬送物の投入口３が設けられ、所定箇所に上記被搬送物を廃棄又は搬送するための廃棄口部４が配設されている。
【０００９】
そして、このパイプコンベヤ１の内部には、無端の搬送チェーン５が内蔵されており、廃棄口部４近傍に設けられて図示しないモータにより駆動する駆動輪９に掛け渡されて上記パイプライン内をその最短距離を結ぶように張設されて循環するようになっている。
ここで上記パイプコンベヤ１では駆動輪９による搬送チェーン５の折返し方向は特に限定されるものではなく、図示例の上下方向でも左右方向でもよい。また、パイプラインは折返しのない一方通行的にレイアウトされていてもよい。
【００１０】
次ぎに、搬送チェーン５は、卵形リンク６の向きを縦向き（６ａ）と横向き（６ｂ）になるように互いに直交して多数連結して無端チェーンとし、適宜間隔毎に外周を略円形状としたブレード７を固着して、該ブレード７により被搬送物Ａ押送するようになっている。
そして、ブレード７は、二分割構成からなっており、図示例の場合、後述の摺動縁部１７を有し横向きのリンク６ｂを固着した下方分割構成部７Ａと、該下方分割構成部７Ａに着脱自在に取り付けられて他方の縁部を形成する上方分割構成部７Ｂとからなっている。
【００１１】
即ち、下方分割構成部７Ａは、図２〜４に示すように、略弓形形状からなっており、その中央を切り欠いてリンク固着用の凹部７ａを形成しており、上部側方で左右一対にネジ孔１２を設けている。
そして前記凹部７ａには、横向きリンク６ｂが一体に溶着される。
また、上方分割構成部７Ｂは、略半円形状からなっており下方には横倒Ｌ状の切欠部７ｂが形成されており、垂下する突片７ｃが横向きリンク６ｂに掛け止められて位置決めされる。
ここで突片７ｃは、図示例の場合、下方分割構成部７Ａの凹部７ａの一方に隣接する片と重なり合って、同一の縁部を形成し摺動縁部１７の一部を構成するようになっている。
【００１２】
また、前記Ｌ状の切欠部７ｂは、前記凹部７ａと重なって前記横向きリンク６ｂを前後方向に突出させると共にその上方を塞ぐ大きさに設定されている。
そして、この中途位置の左右側方には、前記下方分割構成部７Ａのネジ孔１２に対応して一対のネジ孔１３が穿設されている。
従って、下方分割構成部７Ａに上方分割構成部７Ｂを重ね、ネジ孔１２、１３にボルト１４を通して両者を固着して一体に組み立てることができる。
【００１３】
そして、このように形成されたブレード７は、図６に示すように、下方分割構成部７Ａに形成された底部側の摺動縁部１７が、該摺動縁部１７の接するパイプコンベヤの管路１０の内周面と略同一ないし近似した半径Ｒ１からなる円弧形状に形成されている。
図示例では、摺動縁部１７が約９０度の円弧に形成されており、換言すると、管路１０の内周面の約１／４と衝合するように設定されている。
【００１４】
また、上方分割構成部７Ｂに形成された摺動縁部１７を除く他の縁部１８は、管路１０内を塞がずに隙間ができるような略円弧形状からなっていればよいが、本実施例では上記摺動縁部１７より短い半径Ｒ２の円弧形状に形成されており、その半径Ｒ２が、パイプコンベヤの管路１０の中空部内でブレードの回転自由度を阻害しない程度の空間を保てる長さに形成される。
図示例では、ブレードの大きさとの関係から、縁部１８は、管路１０の中空部のほぼ２０％から３０％の空間を保てる程度の半径Ｒ２に設定された円弧形状に形成されているが、前述の通り回転を阻害しない範囲であればよい。
そして、このブレード７は、その重心位置を、前記摺動縁部１７が管路１０の内壁底部に復帰するような低位置に設定されている。
図示例の場合、この重心位置は、前記摺動縁部１７に沿って形成される略同一半径Ｒ１で形成される扇（約１／４円）形状の領域Ｇ内に設定されていればよい。この発明では、上記数値は一例であってこれに限定されるものではない。
【００１５】
このブレード７は無端チェーンとの連結位置にも特徴がある。
即ち、図示例の場合、下方分割構成部７Ａにはその凹部７ａに横向きリンク６ａが固着されるが、その取付位置は、横向きリンク６ａに連結される縦向きのリンク６ｂの最下端が下方分割構成部７Ａの前記摺動縁部１７よりも下側へ突出しない位置に設定される（図４、図５参照）。
ブレード７はその中途位置に、所定の横向きリンク６ａの長手方向の中央が固着されるが、その取付位置は、横向きリンク６ａに連結される縦向きのリンク６ｂの最下端がブレード７の前記摺動縁部１７よりも下側へ突出しない位置に設定される（図２、図４参照）。
【００１６】
ここで、図示例では縦向きのリンク６ｂの最下端はブレード７の前記摺動縁部１７と同一位置に設定されているが、やや上方でもよく、コーナーでブレード７が旋回できる位置であればよい。
なお、本実施例ではブレード７に横向きリンク６ａを固着した例を示したが、この発明では所定の縦向きリンク６ｂにブレード７を固着する構成でもよい。
これにより、ブレード７の摺動縁部１７は、管路１０の内壁に広範囲に衝合するので、搬送チェーンが押送される際にブレード７の姿勢が安定すると共に、上記管路１０の内壁との接触個所が従来の縦向きリンクによる線状から摺動縁部１７による面状に変わるので、接触面積が広がり応力が分散されて管路内壁の局部的な磨耗を防止することができる。
【００１７】
このように形成された搬送チェーン５は、直線状の管路１０内では、常時ブレード７の摺動縁部１７が管路１０の内壁に接して移動するので、縦向きリンクがたとえ管路１０の内壁に接していても大きな負荷がかからず、内壁に局所的な磨耗や損傷を生じさせることがない。
またＺ状のコーナー部分の管路１０内においては、ブレード７はその重心位置が底部側に設定されているので、摺動縁部１７の円弧状の輪郭形状と相俟ってブレード７が常時管路１０の下面に戻ろうとする力が働いており、コーナー部分でも安定した姿勢となって押送りすることができる。
従って、管路１０の内壁に被搬送物が付着していても、ブレード７は浮き上がることがなく効率的に掻き取ることができる。
【００１８】
上記実施例では、板状のブレードを用いた場合を図示したが、その外周形状が同様であれば、中央が窪む椀状やバケット形状であってもよいこと勿論である。
また、ブレード７が分割構成からなっているので、上方分割構成部を合成樹脂やゴムなどの被搬送物の種類や用途に合わせて適宜変更することができる。
ブレードには、ブラシその他の付属物を連結して用いるものであってもよい。
【００１９】
このブレード７には、図５に示すように、銅または銅合金からなるプレート２０を重ね合わせて一体化している。
即ち、図示例のように下方分割構成部７Ａを鋼材の中間に銅または銅合金のプレートを挟んだ三分割構造として、前記上方分割構成部７Ｂと共にネジで共締めして一体に連結し、あるいは三層構造として一体に形成するものであってもよい。  また、銅または銅合金プレート２０の重ね合わせは多層構造であればよく、二層や三層以上であってもよい。
これにより、ブレード７が管路１０の内壁面と摺動する際に、銅または銅合金のプレート２０から擦り取られた銅または銅合金の微粉末が他の摺動縁部を構成する鋼材の摺動面に付着して薄い保護層が形成され、以後のブレード７の押送りに際して前記内壁面を滑動することができるようになる。これによって、一層、管路１０の耐久性を高めることができる。
【００２０】
上記実施例では、上方分割構成部の切欠部の一方に突片を設けたが双方に突片を設けてもよい。
また、突片の縁部は摺動縁部を兼ねることなく短く設定されるものでもよい。
更に、分割構成として上下に分離した例を示したが、横向きリンクを固着した小径の分割構成部に大径の分割構成部を重ね合わせてもよい。
固着個所も実施例に限定されず、中央に一個所設けるものでもよい。
その他、要するにこの発明の要旨を変更しない範囲で種々設計変更しうる。
【００２１】
【発明の効果】
この発明ではブレードを分割構成としたので、用途に応じて分割構成部を変更して用いたり、摩耗や損傷した分割構成部のみを代えることができる。
また、銅または銅合金を介設することにより管路とブレードとの摩擦力を減少させることができる。
また、摺動縁部を設けたことで、ブレードの浮き上がりを抑え、掻き取り効率の向上を図ることができ、管路内の残留物を少なくすることができる。
また、搬送チェーンの押送に際して応力の分散を図ることができるので、コンベヤ全体を金属に限らず合成樹脂で成形することができ、食品分野など種々の用途に適用でき汎用性に優れる。
【図面の簡単な説明】
【図１】パイプコンベヤの斜視図である。
【図２】ブレードの分解斜視図である。
【図３】同正面図である。
【図４】ブレードの組立状態を示す正面図である。
【図５】銅または銅合金のプレートを介設したブレードを有する搬送チエンの一部側面図である。
【図６】ブレードの形状を説明する正面図である。
【図７】従来のブレードのコーナー部での旋回状態を示す説明図である。
【図８】従来のブレードの動きを説明する正面図である。
【符号の説明】
１      パイプコンベヤ
２      パイプライン
３      投入口
４      廃棄口部
５      搬送チェーン
６      卵形リンク
６ａ    縦向きリンク
６ｂ    横向きリンク
７      ブレード
７Ａ    下方分割構成部
７ａ    凹部
７Ｂ    上方分割構成部
７ｂ    切欠部
７ｃ    突片
９      駆動輪
１０      管路
１２      ネジ孔
１３      ネジ孔
１４      ボルト
１７      摺動縁部
１８      他の縁部
２０      銅または銅合金からなるプレート
【図１】
0004295376.tif 000002
【図２】
0004295376.tif 000003
【図３】
0004295376.tif 000004
【図４】
0004295376.tif 000005
【図５】
0004295376.tif 000006
【図６】
0004295376.tif 000007
【図７】
0004295376.tif 000008
【図８】
0004295376.tif 000009